(57)【要約】【課題】上部ケース内部への雨水等の浸入を的確に防止することが可能な踏切しゃ断機を提供する。【解決手段】鉄道の踏切地点に設置される踏切しゃ断機１であって、上端に開口部４ａを有する上部ケース４と、上部ケース４に収納されたモータ３と、上部ケース４の前面から突出され、モータ３の回転駆動により軸周りに回動するしゃ断かん回動軸７と、しゃ断かん回動軸７の先端部分に取り付けられたしゃ断かんＢと、上部ケース４の開口部４ａを閉塞する頭部カバー１１と、上部ケース４と頭部カバー１１との間に配されるパッキンＰとを備え、上部ケース４および頭部カバー１１の各側面部にはそれぞれ略水平方向に延出された継手部９、１２が設けられ、継手部９と継手部１２とが上下方向から当接すると、上部ケース４と頭部カバー１１との間にパッキンＰの厚さより狭い間隙Ｇが形成され、当該間隙Ｇの部分にパッキンＰが配される。【選択図】図７
2010052506.tif 000002
【特許請求の範囲】
【請求項１】
鉄道の踏切地点に設置される踏切しゃ断機であって、
上端に開口部を有する上部ケースと、
前記上部ケースに収納されたモータと、
前記上部ケースの前面から突出され、前記モータの回転駆動により軸周りに回動するしゃ断かん回動軸と、
前記しゃ断かん回動軸の先端部分に取り付けられたしゃ断かんと、
前記上部ケースの開口部を閉塞する頭部カバーと、
前記上部ケースと前記頭部カバーとの間に配されるパッキンと、
を備え、
前記上部ケースの側面部および前記頭部カバーの側面部には、それぞれ略水平方向に延出された継手部が設けられ、
前記上部ケースの継手部と前記頭部カバーの継手部とが上下方向から当接すると、前記上部ケースと前記頭部カバーとの間に前記パッキンの厚さより狭い間隙が形成され、当該間隙の部分に前記パッキンが配されることを特徴とする踏切しゃ断機。
【請求項２】
前記上部ケースの継手部の前記上部ケース側の下側部分に、凹部状の係止部が設けられていることを特徴とする請求項１に記載の踏切しゃ断機。
【発明の詳細な説明】
【技術分野】
【０００１】
本発明は、モータや歯車等が収納された上部ケースの上端に開閉可能な頭部カバーが設けられた踏切しゃ断機に関するものである。
【背景技術】
【０００２】
鉄道の踏切地点に設置される踏切しゃ断機１００は、通常、図８（Ａ）、（Ｂ）に示すように、スタンド１０１の上端に、図示しないモータや歯車等を収納する上部ケース１０２が設けられており、上部ケース１０２の前面からしゃ断かん回動軸１０３が突出される。そして、しゃ断かん回動軸１０３の先端部分には、しゃ断かんホルダ１０４が取り付けられる。しゃ断かんホルダ１０４には、棒状のしゃ断かんＢが取り付けられるようになっており、モータが回転駆動すると歯車等を介してしゃ断かん回動軸１０３が軸周りに回動し、それによりしゃ断かんホルダ１０４がしゃ断かん回動軸１０３の軸周りに揺動することでしゃ断かんＢが昇降するようになっている（例えば特許文献１等参照）。
【０００３】
ところで、踏切しゃ断機１００の上部ケース１０２の上部に、上部の開口部を閉塞するための頭部カバー１０５が設けられている場合がある。その場合、上部ケース１０２と頭部カバー１０５との当接部分から雨水やゴミ等が浸入しないように、例えば図９に示すような略方形のリング状に形成された例えばゴム製のパッキンＰａが、図１０の断面図に示すように、上部ケース１０２と頭部カバー１０５との当接部分に介装される。
【０００４】
そして、例えばパッキンＰａに設けられた穴Ｈにボルト１０６が挿通された状態でボルト１０６を締め付けることで、上部ケース１０２の上部に頭部カバー１０５が取り付けられる。
【特許文献１】特開平８−２４１８号公報
【発明の開示】
【発明が解決しようとする課題】
【０００５】
しかしながら、ボルト１０６の締め付けが弱いと経時的にボルト１０６が緩んでしまう場合があるため、通常、ボルト１０６はきつく締め付けられるが、ボルト１０６をきつく締め付けると、パッキンＰａが押し潰された状態で硬化し（すなわち、いわゆるヘタリを生じ）、パッキンＰａの劣化が進む。そのため、パッキンＰａの密閉性が損なわれ、パッキンＰａの部分から上部ケース１０２内部への雨水等の浸入が生じ易くなる場合がある。
【０００６】
また、図１０等に示したように、頭部カバー１０５の上面側からボルト１０６を挿通すると、ボルト穴を通って雨水等が浸入し、浸入した雨水が劣化したパッキンＰａの穴Ｈの部分を通り抜けて上部ケース１０２の内部に浸入してしまう場合もある。
【０００７】
このように、上部ケース１０２内に雨水等が浸入すると、内部のモータや歯車等の構造物が雨水等で腐食されたり、内部構造物に付与されたオイルに雨水等が混入してオイルの潤滑機能が損なれる等して、踏切しゃ断機１００が正常に動作しなくなる場合がある。また、それを回避するために、メンテナンスを頻繁に行わなければならなくなる等の問題があった。
【０００８】
本発明は、前記事情に鑑みてなされたものであり、上部ケース内部への雨水等の浸入を的確に防止することが可能な踏切しゃ断機を提供することを目的とする。
【０００９】
また、踏切しゃ断機１００は、通常、１機あたり１００ｋｇを越える重量を有する。しかも、上部ケース１０２内にモータ等の重たい内部構造物が収納されるため、重心が上方に位置し、必ずしも安定性がよくない。そこで、踏切しゃ断機１００の製造時や設置場所Ｇへの設置時などには、例えば、図８（Ａ）、（Ｂ）に示す上部ケース１０２の下端部分Ｒ等にワイヤを引っ掛けてクレーンで吊り上げる等して移動させていた。
【００１０】
しかし、ワイヤが外れる場合があり、重たい踏切しゃ断機１００が落下して危険であるため、踏切しゃ断機を安定した状態で安全に搬送することが望まれていた。本願発明者は、上記のように上部ケース内部への雨水等の浸入を防止する構造を研究する中で、同時に、踏切しゃ断機を安定した状態で安全に搬送することができる構造を見出した。
【００１１】
そこで、本発明は、安定した状態で安全に搬送することが可能な踏切しゃ断機を提供することをも目的とする。
【課題を解決するための手段】
【００１２】
前記の問題を解決するために、請求項１に記載の発明は、
鉄道の踏切地点に設置される踏切しゃ断機であって、
上端に開口部を有する上部ケースと、
前記上部ケースに収納されたモータと、
前記上部ケースの前面から突出され、前記モータの回転駆動により軸周りに回動するしゃ断かん回動軸と、
前記しゃ断かん回動軸の先端部分に取り付けられたしゃ断かんと、
前記上部ケースの開口部を閉塞する頭部カバーと、
前記上部ケースと前記頭部カバーとの間に配されるパッキンと、
を備え、
前記上部ケースの側面部および前記頭部カバーの側面部には、それぞれ略水平方向に延出された継手部が設けられ、
前記上部ケースの継手部と前記頭部カバーの継手部とが上下方向から当接すると、前記上部ケースと前記頭部カバーとの間に前記パッキンの厚さより狭い間隙が形成され、当該間隙の部分に前記パッキンが配されることを特徴とする。
【００１３】
また、請求項２に記載の発明は、請求項１に記載の踏切しゃ断機において、前記上部ケースの継手部の前記上部ケース側の下側部分に、凹部状の係止部が設けられていることを特徴とする。
【発明の効果】
【００１４】
請求項１に記載の発明によれば、上部ケースの継手部と頭部カバーの継手部とが上下方向から当接した場合に、上部ケースと頭部カバーとの間にパッキンの厚さより狭い間隙が形成されるように構成すれば、頭部カバーを上部ケースの開口部を閉塞するように取り付けてボルトで螺着する等しても、パッキンが押し潰されることが防止される。そのため、パッキンのいわゆるヘタリの発生が防止され、パッキンの劣化の進行を鈍化することが可能となる。
【００１５】
また、パッキンは、上部ケースと頭部カバーとにより上下方向から適度に押圧されて撓んで上部ケースと頭部カバーとに密着するため、上部ケースと頭部カバーとの密閉性を確保することが可能となる。そのため、上部ケース内部への雨水等の浸入を的確に防止することが可能となり、踏切しゃ断機の正常な動作を維持しつつ、メンテナンスの実施頻度を低減することが可能となる。
【００１６】
さらに、踏切しゃ断機が重く、上部ケース内にモータ等の重たい内部構造物が収納されていて重心が上方にあり安定性がよくない場合であっても、上部ケースの側面部に略水平方向に延出された継手部にワイヤを引っ掛けてクレーンで吊り上げるようにして、踏切しゃ断機を安定した状態で安全に搬送することが可能となる。
【００１７】
また、請求項２に記載の発明によれば、上部ケースの左右の側面部に略水平方向に延出された継手部が設けられ、しかも、継手部の下側部分が凹部状とされた係止部が設けられるため、係止部にワイヤを引っ掛けてクレーンで吊り上げて、確実に、かつ安定性よく踏切しゃ断機を搬送することが可能となり、踏切しゃ断機の運送を安定した状態で安全に行うことが可能となる。
【発明を実施するための最良の形態】
【００１８】
以下、本発明に係る踏切しゃ断機の実施の形態について、図面を参照して説明する。
【００１９】
本実施形態の踏切しゃ断機１は、図１（Ａ）、（Ｂ）に示すように、アンカーボルトＡで設置場所Ｇに固定されたスタンド２の上端に、モータ３や図示しない歯車等を収納する筐体状の上部ケース４が固定されて構成されている。上部ケース４の背面には、上部ケース４部分からはみ出したモータ３等の内部構造物を外側から覆う本体カバー５が、上部ケース４に蝶番構造６を介して開閉自在に取り付けられている。
【００２０】
また、上部ケース４の前面から、しゃ断かん回動軸７が前方に突出されて設けられており、しゃ断かん回動軸７の先端部分には、しゃ断かんホルダ８が取り付けられている。しゃ断かんホルダ８には、棒状のしゃ断かんＢが挿通されて固定されている。そして、しゃ断かんＢは、上部ケース４内部のモータ３が回転駆動すると歯車等を介してしゃ断かん回動軸７が軸周りに回動し、それによりしゃ断かんホルダ８がしゃ断かん回動軸７の軸周りに揺動することで起倒するようになっている。
【００２１】
上部ケース４の左右の側面部の上端部分には、図２（Ａ）、（Ｂ）に示すように、それぞれ略水平方向に延出された継手部９が設けられている。継手部９は、型成形により上部ケース４に一体形成されており、その先端側の部分９ａが上部ケース４側の部分９ｂよりも肉厚に形成されている。
【００２２】
本実施形態では、薄肉状に形成された継手部９の上部ケース４側の部分９ｂの下側部分が凹部状とされ、後述するように踏切しゃ断機１を運搬する際にワイヤを引っ掛けるための係止部９ｃとされている。また、継手部９の肉厚とされた先端側の部分９ａには、ボルト１０（図１（Ａ）、（Ｂ）参照）を螺着するための雌ねじ部９ｄが形成されている。
【００２３】
また、上部ケース４の上端は開口されて開口部４ａが形成されており、図１（Ａ）、（Ｂ）に示すように、上部ケース４の上端部には、上部ケース４の開口部４ａを閉塞するための頭部カバー１１がパッキンＰを介して取り付けられるようになっている。
【００２４】
本実施形態では、頭部カバー１１は、図３（Ａ）、（Ｂ）に示すように、下方に開口された筐体部１１ａを備えており、その筐体部１１ａの左右の側面部には、それぞれ略水平方向に延出された継手部１２が設けられている。
【００２５】
継手部１２は、型成形により頭部カバー１１に一体形成されており、頭部カバー１１で上部ケース４の開口部４ａを閉塞した際に、上部ケース４の左右側面部に設けられた継手部９と重なりあう位置に設けられている。また、継手部１２の先端側の部分の、上部ケース４の継手部９に形成された雌ねじ部９ｄに対応する位置には、ボルト１０（図１（Ａ）、（Ｂ）参照）を挿通するための貫通穴１２ａが形成されている。
【００２６】
また、頭部カバー１１の筐体部１１ａの外側には、筐体部１１ａの下端部分１１ｂを全周にわたって囲うようにして庇部１３が形成されている。
【００２７】
ここで、上部ケース４の継手部９と頭部カバー１１の継手部１２とは、図４に示すように、頭部カバー１１を上部ケース４の開口部４ａを閉塞するように配置すると、上下方向から互いに当接するようになっており、しかも、上部ケース４の側壁の上端部分４ｂと、頭部カバー１１の筐体部１１ａの下端部分１１ｂとの間には、間隙Ｇが形成されるようになっている。
【００２８】
その際、この上部ケース４と頭部カバー１１との間隙Ｇの部分には、上部ケース４の側壁の上端部分４ｂや頭部カバー１１の筐体部１１ａの下端部分１１ｂと同形の略矩形状に形成されたゴム製のパッキンＰ（図５参照）が配されるが、間隙Ｇは、このパッキンＰの上下方向の厚さよりも狭い間隔で形成されるようになっている。
【００２９】
次に、本実施形態に係る踏切しゃ断機１の作用について説明する。
【００３０】
図６に示すように、上部ケース４と頭部カバー１１との間隙Ｇの部分にパッキンＰが配された状態で、頭部カバー１１が上部ケース４の開口部４ａを閉塞するように取り付けられると、上部ケース４の継手部９と頭部カバー１１の継手部１２とは互いに対向する位置に配置される。しかし、パッキンＰの弾性により頭部カバー１１が押し上げられるため、上部ケース４の継手部９と頭部カバー１１の継手部１２とは当接せずに離間した状態となる。
【００３１】
この状態で、頭部カバー１１の継手部１２の貫通穴１２ａにボルト１０が挿通され、上部ケース４の継手部９の雌ねじ部９ｄに螺着されると、図７に示すように、パッキンＰが上部ケース４と頭部カバー１１とで上下方向に押し付けられて撓み、上部ケース４の継手部９と頭部カバー１１の継手部１２とが当接する。その状態で、上部ケース４の継手部９と頭部カバー１１の継手部１２とがボルト１０により締め付けられて螺着される。
【００３２】
前述したように、上部ケース４の継手部９と頭部カバー１１の継手部１２とが当接した状態では、上部ケース４の側壁の上端部分４ｂと、頭部カバー１１の筐体部１１ａの下端部分１１ｂとの間には間隙Ｇが形成される。そして、間隙Ｇは、パッキンＰの上下方向の厚さよりも狭い間隔で形成される。
【００３３】
そのため、パッキンＰは、図７に示した上部ケース４と頭部カバー１１との螺着状態では、上部ケース４の側壁の上端部分４ｂと頭部カバー１１の筐体部１１ａの下端部分１１ｂとにより上下方向から押圧されて撓み、上部ケース４の側壁の上端部分４ｂと頭部カバー１１の筐体部１１ａの下端部分１１ｂとに密着し、上部ケース４と頭部カバー１１との密閉性を確保する。
【００３４】
また、ボルト１０できつく締め付けても間隙Ｇがそれ以上狭まることはないため、パッキンＰが押し潰されることはなく、いわゆるヘタリを生じることが防止される。
【００３５】
以上のように、本実施形態に係る踏切しゃ断機１によれば、上部ケース４の継手部９と頭部カバー１１の継手部１２とが上下方向から当接した場合に、上部ケース４と頭部カバー１１との間にパッキンＰの厚さより狭い間隙Ｇが形成されるように構成したため、頭部カバー１１を上部ケース４の開口部４ａを閉塞するように取り付けてボルト１０で螺着する等しても、パッキンＰが押し潰されることが防止される。
【００３６】
そのため、パッキンＰのヘタリの発生が防止され、パッキンＰの劣化の進行を鈍化することが可能となる。また、パッキンＰは、上部ケース４と頭部カバー１１とにより上下方向から適度に押圧されて撓んで上部ケース４と頭部カバー１１とに密着するため、上部ケース４と頭部カバー１１との密閉性を確保することが可能となる。
【００３７】
また、上部ケース４と頭部カバー１１とは、側面部に設けられた継手部９、１２が螺着等されて取り付けられるため、従来の頭部カバー１０５（図１０参照）のように、頭部カバー１１の上面部にボルト穴等を形成する必要がない。そのため、頭部カバー１１の上面のボルト穴等から雨水等が浸入することがない。
【００３８】
さらに、上部ケース４と頭部カバー１１とは、パッキンＰの外側で螺着されるため、従来のパッキンＰａ（図９参照）のように、パッキンＰにボルト１０を通すための穴を設ける必要がない。そのため、パッキンＰの劣化の進行がより的確に鈍化されるとともに、パッキンＰの穴を通って雨水等が上部ケース４内に浸入することが防止される。
【００３９】
このように、本実施形態に係る踏切しゃ断機１によれば、パッキンＰを上部ケース４と頭部カバー１１とに密着させて密閉性が確保されるとともに、パッキンＰが押し潰されないためヘタリの発生が防止され、良好な密閉性を長時間維持することが可能となる。そのため、上部ケース４内部への雨水等の浸入を的確に防止することが可能となり、踏切しゃ断機１の正常な動作を維持しつつ、メンテナンスの実施頻度を低減することが可能となる。
【００４０】
また、本実施形態に係る踏切しゃ断機１においても、その重量は１機あたり１００ｋｇを越え、しかも、上部ケース４内にモータ３等の重たい内部構造物が収納されているため、重心が上方に位置し、必ずしも安定性がよくない。
【００４１】
しかし、本実施形態に係る踏切しゃ断機１によれば、上部ケース４の左右の側面部に略水平方向に延出された継手部９が設けられているため、その継手部９にワイヤを引っ掛けてクレーンで吊り上げるようにすれば、容易に踏切しゃ断機１を搬送することが可能となる。
【００４２】
また、本実施形態のように、継手部９の下側部分が凹部状とされた係止部９ｃが設けられていれば、その凹部状の係止部９ｃにワイヤを引っ掛けてクレーンで吊り上げることで、容易に、かつ安定性よく確実に踏切しゃ断機１を搬送することが可能となり、踏切しゃ断機１の運送を安定した状態で安全に行うことが可能となる。
【図面の簡単な説明】
【００４３】
【図１】本実施形態に係る踏切しゃ断機の（Ａ）側面図および（Ｂ）正面図である。
【図２】上部ケースの継手部の部分を拡大して示す（Ａ）平面図および（Ｂ）正面図である。
【図３】頭部カバーの継手部の部分を拡大して示す（Ａ）図１のＸ−Ｘ線に沿う断面図および（Ｂ）底面図である。
【図４】パッキンを介さずに上部ケースの継手部と頭部カバーの継手部とを当接させた状態を示す図１のＸ−Ｘ線に沿う断面図である。
【図５】パッキンを示す平面図である。
【図６】ボルトによる締め付け前の上部ケースと頭部カバーとの間隙の部分にパッキンが配された状態を表す図である。
【図７】ボルトにより締め付けられ上部ケースと頭部カバーとの間隙の部分のパッキンが撓んだ状態を表す図である。
【図８】従来の踏切しゃ断機の（Ａ）側面図および（Ｂ）正面図である。
【図９】図８の踏切しゃ断機に用いられるパッキンを示す平面図である。
【図１０】上部ケースと頭部カバーとの間で押し潰された従来のパッキンを表す図８のＹ−Ｙ線に沿う断面図である。
【符号の説明】
【００４４】
１    踏切しゃ断機
３    モータ
４    上部ケース
４ａ  開口部
７    しゃ断かん回動軸
９    上部ケースの継手部
９ｃ  係止部
１１  頭部カバー
１２  頭部カバーの継手部
Ｂ    しゃ断かん
Ｇ    間隙
Ｐ    パッキン
【図１】
2010052506.tif 000003
【図２】
2010052506.tif 000004
【図３】
2010052506.tif 000005
【図４】
2010052506.tif 000006
【図５】
2010052506.tif 000007
【図６】
2010052506.tif 000008
【図７】
2010052506.tif 000009
【図８】
2010052506.tif 000010
【図９】
2010052506.tif 000011
【図１０】
2010052506.tif 000012